(57)【要約】【課題】木炭を熱分解等によりガス化して得られる生成ガス中のタール等を除去する簡便で安価なガス浄化プロセスを実現する。【解決手段】木炭を部分燃焼させて木炭を熱分解するとともに、水蒸気を供給して水性ガス化反応によりガス化するガス化炉５と、ガス化炉で生成された生成ガスの熱を回収してガス化炉に供給する水蒸気を生成する冷却塔１３と、冷却塔で冷却された生成ガスに洗浄水を散布して浄化する洗浄塔１５と、洗浄塔の底部から抜き出される洗浄水からタール等の不純物を分離する濾過器３４と、濾過器から排出される洗浄水を洗浄塔の洗浄水として循環させる循環ポンプ３２と、濾過器から排出される洗浄水の一部を抜き出して処理する吸着塔３６を備えて構成する。【選択図】  図１
2008222978.tif 000002
【特許請求の範囲】
【請求項１】
木炭を部分燃焼させて前記木炭を熱分解するとともに、水蒸気を供給して水性ガス化反応によりガス化するガス化炉と、該ガス化炉で生成された生成ガスの熱を回収して前記ガス化炉に供給する水蒸気を生成する冷却塔と、該冷却塔で冷却された生成ガスに洗浄水を散布して浄化する洗浄塔と、該洗浄塔の底部から抜き出される洗浄水からタール等の不純物を分離する濾過器と、該濾過器から排出される洗浄水を前記洗浄塔の洗浄水として循環させる循環ポンプと、前記濾過器から排出される洗浄水の一部を抜き出して処理する吸着塔を備えてなる木炭ガス化装置。
【請求項２】
請求項１において、
前記吸着塔は、ガス化対象の木炭を吸着材として用い、該木炭の吸着能力が低下したときは、前記ガス化炉に投入してガス化することを特徴とする木炭ガス化装置。
【発明の詳細な説明】
【技術分野】
【０００１】
本発明は、木炭ガス化装置に係り、具体的には、木炭を熱分解等によりガス化して生成された生成ガスを浄化する技術に関する。
【背景技術】
【０００２】
ガス化装置としては、特許文献１に記載されているように、竪型の移動床ガス化炉又は固定床ガス化炉に、可燃性のガス化対象物と不燃性ペレットを例えば層状に装填し、ガス化炉の底部側から空気を供給してガス化対象物の一部を燃焼させ、その燃焼熱で残りのガス化対象物を熱分解するとともに、底部側から水蒸気を供給して水性反応させてガス化し、生成されたガス（以下、生成ガスという。）を抜き出して例えば燃料ガスとして有効利用することが提案されている。
【０００３】
ところで、ガス化対象物の組成によっては、熱分解が十分に行われないと生成ガス中にタールや煤（すす）等の煤塵が含まれる。そこで、特許文献１によれば、ガス化炉から排出される生成ガスを水洗洗浄塔に導いて、生成ガス中の水蒸気を凝縮させるとともに、タール分や煤塵を除去し、さらに水洗洗浄塔から排出される生成ガスのミスト等を湿式ＥＰ等により除去して、生成ガスを清浄化することが提案されている。
【０００４】
一方、木屑などのバイオマス燃料をガス化して、例えば内燃機関の燃料ガスとして用いることが検討されているが、木屑などのバイオマス燃料をガス化した場合にも、生成ガスにタール分や煤塵が比較的多く含まれることから、特許文献１と同様のガス浄化処理が必要になる。
【０００５】
【特許文献１】特開２００４−２５５２
【発明の開示】
【発明が解決しようとする課題】
【０００６】
しかしながら、特許文献１では、水洗洗浄塔により除去されたタール等を含む洗浄水の処理については配慮されていない。特に、ガス洗浄水の処理を含め、ガス浄化プロセスを全体的に合理的なプロセスとして改善する余地がある。
【０００７】
特に、最近、木炭をガス化して内燃機関の燃料ガスとして用いることが要望されているが、木炭をガス化した生成ガスに含まれる煤塵やタールは、他のバイオマス燃料をガス化した生成ガスに比べて少ないから、簡便で安価なガス浄化プロセスの実現が望まれている。
【０００８】
本発明が解決しようとする課題は、木炭を熱分解等によりガス化して得られる生成ガス中のタール等を除去する簡便で安価なガス浄化プロセスを実現することにある。
【課題を解決するための手段】
【０００９】
上記課題を解決するため、本発明の木炭ガス化装置は、木炭を部分燃焼させて前記木炭を熱分解するとともに、水蒸気を供給して水性ガス化反応によりガス化するガス化炉と、該ガス化炉で生成された生成ガスの熱を回収して前記ガス化炉に供給する水蒸気を生成する冷却塔と、該冷却塔で冷却された生成ガスに洗浄水を散布して浄化する洗浄塔と、該洗浄塔の底部から抜き出される洗浄水からタール等の不純物を分離する濾過器と、該濾過器から排出される洗浄水を前記洗浄塔の洗浄水として循環させる循環ポンプと、前記濾過器から排出される洗浄水の一部を抜き出して処理する吸着塔を備えて構成する。
【００１０】
すなわち、熱分解等により生成された生成ガスは温度が高いから、冷却塔に導いて生成ガスの熱により水蒸気を生成し、生成された水蒸気をガス化炉における水性ガス化反応用に用いることにより、熱収支を改善することができる。また、ガス化炉から排出される生成ガスを高温のまま洗浄塔に導入すると、洗浄水がその分多く必要になるので洗浄水処理装置が大型になるという問題があるが、本発明によれば、冷却塔を設けて水蒸気を発生させた分だけ洗浄水の量を低減できる。
【００１１】
また、木炭をガス化した生成ガス中のタール分及び煤塵は少ないから、洗浄塔の底部から抜き出した洗浄水からタール等の不純物を濾過器で分離して、洗浄水を循環使用し、循環される洗浄水の一部を抜き出して処理することにより、洗浄水処理に吸着塔を用いて小型化できる。
【００１２】
この場合、吸着塔の吸着材として木炭を用い、吸着能力が低下したときは、ガス化炉に投入してガス化するように構成することが好ましい。これにより、吸着材の再生処理が不要となるから、ガス浄化プロセスを簡単化及び小型化できる。
【発明の効果】
【００１３】
本発明によれば、木炭を熱分解等によりガス化して得られる生成ガス中のタール等を除去する簡便で安価なガス浄化プロセスを実現することができる。
【発明を実施するための最良の形態】
【００１４】
以下、本発明を実施形態に基づいて説明する。図１に、本発明の一実施形態の木炭ガス化装置の全体構成図を示す。
【００１５】
図１に示すように、ガス化対象の木炭１は、貯槽２に受け入れた後、コンベア４によりガス化炉５の炉頂に設けられた供給装置６のホッパ部に投入されるようになっている。ガス化炉５は、竪型の円筒状容器により形成され、供給装置６から投入される木炭１が所定の高さまで充填される。木炭１の充填層には、炉底部から予熱された空気７と水蒸気８が供給され、図示していない着火バーナなどによって、炉底部側の充填層の木炭１の一部が燃焼されるようになっている。木炭１の部分燃焼の熱により、残りの木炭１が熱分解するとともに、水蒸気と水性ガス化反応してガス化される。生成ガスは充填層を通ってガス化炉５内を上昇し、炉頂部に設けられたガス排出口９から炉外に排出されるようになっている。また、ガス化炉５の底部には、灰などの燃焼残渣を排出する排出機１０が設けられている。排出機１０から排出される燃焼残渣は、残渣選別器１１に投入され、篩い分けされる。
【００１６】
ガス化炉５から排出される生成ガス１２は、冷却塔１３の頂部に導入されている。冷却塔１３内には、熱交換チューブ１４が設けられ、この熱交換チューブ１４には、図示していない水源から水が供給されるようになっている。冷却塔１３の底部から抜き出される生成ガスは、洗浄塔１５の底部から頂部に流通され、上部に設けられた散水ノズル１６から噴霧される洗浄水によって、生成ガスに含まれるタール分、水蒸気の凝縮水及び煤塵が洗浄水に取り込まれて除去される。洗浄塔１５の頂部から抜き出された生成ガスは、湿式ＥＰ１７に導かれてミスト等が除去される。湿式ＥＰ１７から排出される生成ガスは、誘引ブロワ１８に吸引されて生成ガスのバッファタンク１９に貯蔵される。バッファタンク１９に貯蔵された生成ガスは、燃料ガスとしてガスエンジン２０に適宜供給され、発電機２１を駆動するようになっている。ガスエンジン２０の排気ガスは、廃熱回収ボイラ２２と脱硝触媒塔２３を介して大気に放出されるようになっている。また、バッファタンク１９には、緊急時に生成ガスを燃焼するグラウンドフレア２４が連結されている。
【００１７】
ここで、本実施形態の特徴に係るガス洗浄装置の構成について説明する。洗浄塔１５において生成ガスに含まれるタール分、水蒸気の凝縮水及び煤塵を取り込んだ洗浄水は、洗浄塔１５の底部から抜き出され、一旦、洗浄水タンク３１に貯留される。洗浄水タンク３１内の洗浄水は、循環ポンプ３２により抜き出されて液体サイクロン３３に流入される。液体サイクロン３３は、洗浄水中に含まれる比較的大きなタール分や煤塵を遠心力により分離して底部から排出するようになっている。液体サイクロン３３から排出される洗浄水は濾過器３４に導かれて、液体サイクロン３３で分離できなかったタール分や煤塵が洗浄水から分離除去される。濾過器３４を通った洗浄水は熱交換器３５において加熱された後、洗浄塔１５の散水ノズル１６から生成ガス中に噴霧される。
【００１８】
また、濾過器３４から流出される洗浄水の一部は、吸着塔３６に流通されて洗浄水に残っているタール分や煤塵が吸着材に吸着除去される。ここで、吸着材としては、ガス化対象の木炭１が用いられている。吸着塔３６から排出される洗浄水はポンプ３７によって吸引され、濾過器３８を通して濾過処理され、清浄な排水となって系外に排出される。
【００１９】
このように構成されることから、本実施形態によれば、ガス化炉５から排出される高温（例えば、７００℃）の生成ガス１２は、冷却塔１３に導入されて熱交換チューブ１４に流通される水を加熱して水蒸気が発生される。この水蒸気は、ガス化炉５の供給する水蒸気８として用いられる他、熱交換器３９に導かれてガス化炉５の供給する空気７の余熱に用いられる。このように、生成ガス１２を洗浄塔１５に導入して洗浄水を噴霧して冷却及び凝縮させる前に、生成ガス１２の熱によりガス化炉５で用いる空気７と水蒸気８を加熱するようにしているから、熱の有効利用を図ってガス浄化プロセスの熱収支を改善することができる。
【００２０】
また、生成ガス１２は、冷却塔１３で冷却されて低温（例えば、２００℃）となり、洗浄塔１５に導入されて散水ノズル１６から噴霧される洗浄水により、さらに冷却される。これにより、生成ガス中に含まれるタール分及び水蒸気が凝縮されるとともに、煤塵が洗浄水に取り込まれて生成ガスが浄化される。この場合、ガス化炉５から排出される生成ガス１２を高温のまま洗浄塔１５に導入すると、洗浄水がその分多く必要になるが、本実施形態によれば、冷却塔１３を設けて熱回収した分だけ、洗浄水の量を低減できるので、洗浄水処理装置を小型化することにつながるという効果がある。
【００２１】
また、木炭をガス化した生成ガス中のタール分及び煤塵は少ないから、洗浄塔１５の底部から抜き出した洗浄水からタール等の不純物を液体サイクロン３３や濾過器３４で分離することにより、洗浄水を循環使用することができる。その結果、循環される洗浄水の一部を抜き出して吸着塔３６で吸着処理することにより、洗浄液を浄化することができるから、洗浄水処理量を大幅に低減できるとともに、洗浄水処理装置を小型化することができる。
【００２２】
さらに、吸着塔３６の吸着材として木炭を用い、吸着能力が低下したときは、ガス化炉５に投入してガス化するように構成すれば、吸着材の再生処理が不要となるから、ガス浄化プロセスを一層、簡単化及び小型化できる。
【００２３】
以上説明したように、本実施形態によれば、木炭を熱分解等によりガス化して得られる生成ガス中のタール等を除去するガス浄化プロセスを、簡便で安価に実現することができる。
【００２４】
すなわち、従来技術によれば、木屑などのバイオマス燃料をガス化した生成ガスを水洗した大量の洗浄水を処理するためには、大型でかつ複雑な洗浄水処理装置が必要となる。例えば、洗浄塔から排出される洗浄水からタール等を分離する装置、及び分離したタール等を焼却する装置、あるいは、生物処理装置や活性炭吸着などによる浄化処理が必要になる。
【図面の簡単な説明】
【００２５】
【図１】本発明の一実施形態の木炭ガス化装置の全体構成図である。
【符号の説明】
【００２６】
５  ガス化炉
１３  冷却塔
１４  伝熱管
１５  洗浄塔
１６  散水ノズル
１７  湿式ＥＰ
３１  洗浄水タンク
３２  循環ポンプ
３３  液体サイクロン
３４  濾過器
３５  熱交換器
３６  吸着塔
３８  濾過器
３９  熱交換器
【図１】
2008222978.tif 000003